(57)【要約】本発明は番組を放送するための方法並びにシステムと、および番組を受信するためのセルラ無線ネットワークの加入者端末とに関する。この方法は：放送システムから番組を放送システムの放送経路上で放送し（３０８）；サーバーから放送番組関連データをセルラ無線ネットワークに転送し（３０４）；セルラ無線ネットワークの基地局から放送番組関連データを、セルラ無線ネットワーク用に規定された特定周波数で、放送番組関連データの伝送が番組の放送と同期されるように伝送し（３０６）；セルラ無線ネットワークの加入者端末で、番組と放送番組関連データとを、加入者端末の番組受信機が放送システムの放送経路から番組を受信し、加入者端末のセルラ無線ネットワーク・トランシーバが放送番組関連データをそのセルラ無線ネットワーク用に規定された特定周波数で受信するように受信し（３１０）；加入者端末から基地局を通してサーバーまで戻りチャンネルを確立する（３１２）ことを含む。戻りチャンネルはセルラ無線ネットワーク用に規定された特定周波数で放送するための指定番組を注文するために使用され、そして／または戻りチャンネルは加入者端末で遊技されるゲームに関するデータを、サーバーに転送するために使用される。
2006508594.tif 000002
【特許請求の範囲】
【請求項１】
番組放送方法であって：
放送システムから、この放送システムの放送経路上で番組を放送し（３０８）；
サーバーからラジオ番組関連データをセルラ無線ネットワークへ転送し（３０４）；
セルラ無線ネットワークの基地局から放送番組関連データをそのセルラ無線ネットワーク用に規定された特定周波数で、放送番組関連データの伝送がその番組の放送と同期するように伝送し（３０６）；
セルラ無線ネットワークの加入者端末で、その番組と放送番組関連データとを、加入者端末の番組受信機が、放送システムの放送経路から前記放送と放送番組関連データとを特定周波数受信するような方法で受信機し（３１０）；
加入者端末から基地局を通してサーバーに戻りチャンネルを確立する（３１２）ことを含み；
この戻りチャンネルが放送される指定番組をそのセルラ無線ネットワーク用に規定された特定周波数で注文するために使用され、そして／またはこの戻りチャンネルがこの加入者端末で遊技されるゲームに関するデータを転送するために使用されることを特徴とする、前記方法。
【請求項２】
請求項１記載の方法であって、放送番組関連データを放送システムからサーバーへ転送する（３０２）ことを含むことを特徴とする前記方法。
【請求項３】
請求項１記載の方法において、放送番組関連データが少なくともテキスト、音響、静止画、動画、のいづれか一つを含むことを特徴とする前記方法。
【請求項４】
請求項１記載の方法において、放送番組関連データが番組の放送時刻を定める情報を含むことを特徴とする前記方法。
【請求項５】
請求項４記載の方法であって、加入者端末への番組の提供を、放送時刻を定める情報に基づいて開始することを特徴とする前記方法。
【請求項６】
請求項４記載の方法であって、さらに加入者端末内への番組の格納を、放送時刻を定める情報に基づいて開始することを特徴とする前記方法。
【請求項７】
請求項１記載の方法であって、放送番組関連データを受信する加入者端末のリストを、サーバー内に保持することを含むことを特徴とする前記方法。
【請求項８】
請求項１記載の方法において、戻りチャンネルを用いてまた、番組関連フィードバック情報を加入者端末から放送システムへ転送することを特徴とする前記方法。
【請求項９】
請求項１記載の方法において、戻りチャンネルを用いてまた、番組そして／または放送番組関連データ内で提供された広告宣伝に関する購買を行うことを特徴とする前記方法。
【請求項１０】
請求項１記載の方法において、前記番組がラジオ番組を含み、放送番組関連データがラジオ番組に関連したデータを含み、放送システムがラジオ放送システムを含み、番組受信機がラジオ受信機を含み、そして放送システム放送経路がラジオ放送システム用に規定された特定周波数を含むことを特徴とする前記方法。
【請求項１１】
請求項１０記載の方法であって、さらにラジオ番組と放送番組関連データとを、デジタル・ラジオ内で特定データ・チャンネルで、またはＦＭ副搬送波へ付随伝送として放送するためにマルチプレクスすることを含む、前記方法。
【請求項１２】
番組を放送するためのシステムであって：
番組を放送システム（１００）の放送経路（１０４）上で放送するための放送システム（１００）と；
番組を放送システム（１００）の放送経路（１０４）から受信するための番組受信機（１３４）を含むセルラ無線ネットワーク（２２０）の加入者端末（１３０）と；
放送番組関連データの伝送と番組の放送との同期を定める、同期情報を処理するように構成されている、放送番組関連データ処理用サーバー（１０８，１１２）と；
サーバー（１０８，１１２）から放送番組関連データと同期情報とを受信するように構成され、セルラ無線ネットワーク（２２０）用に規定された特定周波数（１２６）で放送番組関連データを、放送番組関連データの伝送が番組の放送と、同期情報に基づいて同期されるように伝送するように構成された基地局（１２２）を含む、セルラ無線ネットワーク（２２０）と；
放送番組関連データをセルラ無線ネットワーク（２２０）用に規定された特定周波数（１２６）で受信するためのセルラ無線ネットワーク・トランシーバ（１３８）を含む、セルラ無線ネットワークの加入者端末（１３０）を含み；
加入者端末（１３０）のセルラ無線ネットワーク・トランシーバ（１３８）が、戻りチャンネル（１２８）を基地局（１２２）を通してサーバー（１０８，１１２）へ確立するように構成され、基地局（１２２）が戻りチャンネル（１２８）を受け取るように構成されているシステムであって、
加入者端末（１３０）が戻りチャンネル（１２８）を用いて、放送用番組をセルラ無線ネットワーク（２２０）用に規定された特定周波数で注文するように構成され、サーバー（１０８，１１２）がその番組注文を受信するように構成されているか；
そして／または
加入者端末（１３０）がサーバー（１０８，１１２）に対して戻りチャンネル（１２８）を用いて、加入者端末（１３０）で遊技されるゲームに関連したデータを転送するように構成され、サーバー（１０８，１１２）が加入者端末（１３０）からゲームに関連したデータを受信するように構成されていることを特徴とする、前記システム。
【請求項１３】
請求項１２記載のシステムにおいて、放送システム（１００）が放送番組関連データをサーバー（１０８，１１２）に転送するように構成され、サーバー（１０８，１１２）が放送番組関連データを放送システム（１００）から受信するように構成されていることを特徴とする、前記システム。
【請求項１４】
請求項１２記載のシステムにおいて、放送番組関連データが少なくとも音響、静止画、動画、のいづれか一つを含むことを特徴とする前記システム。
【請求項１５】
請求項１２記載のシステムにおいて、放送番組関連データが番組の放送時刻を定める情報を含むことを特徴とする前記システム。
【請求項１６】
請求項１５記載のシステムにおいて、加入者端末（１３０）の使用者インタフェース（１４２）が、番組の事前設定を放送時刻を定める情報に基づいて開始するように構成されていることを特徴とする前記システム。
【請求項１７】
請求項１５記載のシステムにおいて、加入者端末（１３０）がメモリ（１４４）を含み、加入者端末（１３０）が、放送時刻を定める情報に基づいて番組をメモリ（１４４）の中に格納するように構成されていることを特徴とする前記システム。
【請求項１８】
請求項１２記載のシステムにおいて、サーバー（１０８，１１２）が、放送番組関連データを受信する加入者端末のリストを保持するように構成されていることを特徴とする、前記システム。
【請求項１９】
請求項１２記載のシステムにおいて、加入者端末（１３０）が戻りチャンネル（１２８）を用いてプログラム関連フィードバック情報を放送システム（１００）へ転送するように構成され、放送システム（１００）がプログラム関連フィードバック情報を加入者端末（１３０）から受信するように構成されていることを特徴とする、前記システム。
【請求項２０】
請求項１２記載のシステムにおいて、加入者端末（１３０）が、戻りチャンネル（１２８）を用いて、番組そして／または放送番組関連データ内で提供された広告宣伝に関する購買を行うように構成され、サーバー（１０８，１１２）が購買情報を加入者端末（１３０）から受け取るように構成されていることを特徴とする前記システム。
【請求項２１】
請求項１２記載のシステムにおいて、前記番組がラジオ番組を含み、放送番組関連データがラジオ番組に関連したデータを含み、放送システムがラジオ放送システムを含み、番組受信機がラジオ受信機を含み、そして放送システム放送経路がラジオ放送システム用に規定された特定周波数を含むことを特徴とする前記システム。
【請求項２２】
請求項１２記載のシステムにおいて、サーバー（１０８，１１２）が、ラジオ番組と放送番組関連データとを、デジタル・ラジオ内で特定データ・チャンネルで、またはＦＭ副搬送波へ付随伝送として放送するためにマルチプレクスするように構成されていることを特徴とする、前記システム。
【請求項２３】
番組を放送するためのシステムであって：
番組を放送システム（１００）の放送経路（１０４）上で放送するための放送システム（１００）と；
番組を放送システム（１００）の放送経路（１０４）から受信するための番組受信機（１３４）を含むセルラ無線ネットワーク（２２０）の加入者端末（１３０）と；
放送番組関連データの伝送と番組の放送との同期を定める、同期情報を処理するように構成されている、放送番組関連データ処理用サーバー（１０８，１１２）と；
サーバー（１０８，１１２）から放送番組関連データと同期情報とを受信するように構成され、セルラ無線ネットワーク（２２０）用に規定された特定周波数（１２６）で放送番組関連データをセルラ無線ネットワークの加入者端末（１３０）へ、放送番組関連データの伝送が番組の放送と、同期情報に基づいて同期されるように伝送するように構成された基地局（１２２）を含む、セルラ無線ネットワーク（２２０）とを含み；
基地局（１２２）が戻りチャンネル（１２８）を加入者端末（１３０）のセルラ無線ネットワーク・トランシーバから受け取るように構成されており；
サーバー（１０８，１１２）が、戻りチャンネル（１２８）を用いて行われた番組注文を加入者端末（１３０）から受け取るように構成されており、此処で加入者端末（１３０）がセルラ無線ネットワーク（２２０）用に規定された特定周波数で放送されるべき、或る番組を注文するか、
そして／または
サーバー（１０８，１１２）が戻りチャンネル（１２８）を用いて、加入者端末（１３０）で遊技されるゲームに関するデータを受信するように構成されていることを特徴とする、前記システム。
【請求項２４】
請求項２３記載のシステムにおいて、前記番組がラジオ番組を含み、放送番組関連データがラジオ番組に関連したデータを含み、放送システムがラジオ放送システムを含み、番組受信機がラジオ受信機を含み、そして放送システム放送経路がラジオ放送システム用に規定された特定周波数を含むことを特徴とする前記システム。
【請求項２５】
番組を受信するための、セルラ無線ネットワークの加入者端末（１３０）であって：
放送システム（１００）の放送経路（１０４）から番組を受信するための番組受信機（１３４）と；
放送番組関連データをセルラ無線ネットワーク（２２０）用に規定された特定周波数（１２６）で受信するためのセルラ無線ネットワーク・トランシーバ（１３８）とを含み；
加入者端末（１３０）のセルラ無線ネットワーク・トランシーバ（１３８）が、戻りチャンネル（１２８）をセルラ無線ネットワーク基地局（１２２）を通してサーバー（１０８，１１２）に確立するように構成されており；
加入者端末（１３０）が戻りチャンネル（１２８）を用いて放送用の指定番組をそのセルラ無線ネットワーク（２２０）用に規定された特定周波数で注文するように構成されているか；
そして／または
加入者端末（１３０）がサーバー（１０８，１１２）に戻りチャンネル（１２８）を用いて、加入者端末（１３０）で遊技されるゲームに関するデータを転送するように構成されていることを特徴とする、前記加入者端末。
【請求項２６】
請求項２５記載の加入者端末であって、それにより使用者が番組並びに放送番組関連データの受信を容易に管理できる、特定使用者アプリケーションを含むことを特徴とする、前記加入者端末。
【請求項２７】
請求項２５記載の加入者端末において、使用者アプリケーションが加入者端末（１３０）の中に工場でインストールされるかまたは、加入者端末（１３０）の中に後ほど加入者端末（１３０）の供給メーカ、セルラ無線ネットワーク運用会社またはその加入者端末の使用者によりダウンロードされることを特徴とする、前記加入者端末
【請求項２８】
請求項２５記載の加入者端末において、使用者アプリケーションがその使用者の使用者プロフィールに基づいて、加入者端末（１３０）が受信する放送番組関連データの型式が使用者プロフィールの中で特定化されるように、個人化されることを特徴とする前記加入者端末。
【請求項２９】
請求項２５記載の加入者端末において、加入者端末（１３０）が、既成の使用者プロフィールを移動体サーバー（１１２）からダウンロードするように構成されていることを特徴とする、前記加入者端末。
【請求項３０】
請求項２５記載の加入者端末において、各々の使用者プロフィールに対して、ユニークな識別子が定義されており、これにより各々の加入者端末（１３０）の中で使用者アプリケーションを識別することが可能であることを特徴とする、前記加入者端末。
【請求項３１】
請求項２５記載の加入者端末において、開始時に使用者アプリケーションが使用者に対して局を選択する選択肢を提示するように構成されていることを特徴とする、前記加入者端末。
【請求項３２】
請求項３１記載の加入者端末において、使用者アプリケーションが基地局（１２２）で実装されているセル識別子を発見し、その識別子を移動体サーバー（１１２）へ伝送し、移動体サーバー（１１２）から対象セルで受信されている局のリストを受け取るように構成されていることを特徴とする、前記加入者端末。
【請求項３３】
請求項３１記載の加入者端末において、使用者アプリケーションが、加入者端末（１３０）の位置情報に基づき、その場所で聴取可能な局のリストを移動体サーバー（１１２）から受信するように構成されていることを特徴とする、前記加入者端末。
【請求項３４】
請求項３１記載の加入者端末において、加入者端末（１３０）の受信機（１３２）が周波数スペクトルを走査し、走査結果または受信可能局の周波数を移動体サーバー（１１２）へ伝送し、伝送された情報に基づき、移動体サーバー（１１２）で定められた受信可能局のリストを受信するように構成されていることを特徴とする、前記加入者端末。
【請求項３５】
請求項３１記載の加入者端末において、加入者端末（１３０）の使用者インタフェース（１４２）が、使用者により入力された場所の名前を受け取るように構成され、使用者アプリケーションが対象の名前を移動体サーバー（１１２）へ伝送し、移動体サーバー（１１２）から伝送された場所の局リストを受信するように構成されていることを特徴とする、前記加入者端末。
【請求項３６】
請求項２５記載の加入者端末において、前記番組がラジオ番組を含み、放送番組関連データがラジオ番組に関連するデータを含み、放送システム放送経路がラジオ放送システムを含むことを特徴とする、前記加入者端末。
【発明の詳細な説明】
【技術分野】
【０００１】
本発明は番組を放送するための方法、番組を放送するためのシステム並びに番組を受信するためのセルラ無線ネットワークの加入者端末に関する。
【背景技術】
【０００２】
最近、ラジオを聴くことは他のメディア、例えばテレビおよびインターネットに接続されたコンピュータの使用が更に一般的になってきたにも係わらず増加して来ている。この理由の一つは売り上げ記録を更新しているラジオ局の明快な放送の進め方と、車の中で過ごされる時間が増えたことにある。人々は特定のラジオ受信機、例えば異なる携帯ラジオおよび自動車ラジオでラジオを聴いている。セルラ無線ネットワークの加入者端末、例えば携帯電話は今日、セルラ無線ネットワーク・トランシーバのみならず、通常のラジオ受信機を備えることが可能であり、これによってラジオ番組を聴くことが可能である。また、テレビ番組を加入者端末で受信することも可能である。放送番組に関連する番組、例えばラジオ番組内の楽曲を演奏している演奏者の写真もまた、例えばそこに写真が表示されている放送会社のｗｗｗ（ワールド・ワイド・ウェブ）サイトをブラウジングすることで見ることが可能である。放送番組特定データもまた特定データ・チャンネル上のデジタル無線（ＤＡＢ）内で、またはＦＭ副搬送波（例えば、無線データ・サービス（Radio Data Service）ＲＤＳおよび補助通信免許ＳＣＡ（Subsidiary Communications authorization））の付随送信として送信できる。しかしながら、使いやすさを増し、新たなサービスを提供するために番組の放送を実現するための異なる技術の相互作用を改善する必要があろう。
【発明の開示】
【発明が解決しようとする課題】
【０００３】
本発明の１つの目的は、番組を放送するための改善された方法、番組を放送するための改善されたシステム、および番組を受信するためのセルラ無線システムの改善された加入者端末を提供することである。
【課題を解決するための手段】
【０００４】
本発明の１つの特徴として、番組を放送するための１つの方法が提示されており、この方法は：放送システムから放送システムの放送経路上に番組を放送し；サーバーから放送番組関連データをセルラ無線ネットワークに転送し；セルラ無線ネットワークの基地局から放送番組関連データを、そのセルラ無線ネットワーク用に規定された特定周波数で、この放送番組関連データの送信がその番組の放送と同期するように送信し；セルラ無線ネットワークの加入者端末でその番組と放送番組関連データとを、その加入者端末の番組受信機が放送システムの放送経路から番組を受信し、加入者端末のセルラ無線ネットワーク・トランシーバが放送番組関連データを特定周波数で受信するように受信し；そして加入者端末から戻りチャンネルを、基地局を通してサーバーまで確立することの、以上を含む。戻りチャンネルは放送用の指定番組をそのセルラ無線ネットワーク用に規定された特定周波数で注文するために使用されたり、そして／またはこの戻りチャンネルはサーバーに対して、その加入者端末で遊技されるゲームに関連するデータを転送するために使用される。
【０００５】
本発明の１つの特徴として、番組放送用のシステムが提示されており、このシステムは：放送システムの放送経路上で番組を放送するための放送システムと；放送システムの放送経路から番組を受信するための番組受信機を含むセルラ無線ネットワークの加入者端末と；放送番組関連データを処理するためのサーバーであって、放送番組関連データの送信と、番組の放送との同期を定める同期情報を処理するように構成されている前記サーバーと；そして、サーバーから放送番組関連データと同期情報とを受信するように構成されたセルラ無線ネットワークで、このセルラ無線ネットワーク用に規定された特定周波数で放送番組関連データを、放送番組関連データの送信が番組の放送と同期情報に基づいて同期が取られるやり方で送信されるように構成された基地局を含む前記セルラ無線ネットワークとを含み；セルラ無線ネットワークの加入者端末がまた、放送番組関連データをそのセルラ無線ネットワーク用に規定された特定周波数で受信するためのセルラ無線ネットワーク・トランシーバを含み；加入者端末のセルラ無線ネットワーク・トランシーバが戻りチャンネルを、基地局を通ってサーバーまで確立し、そして基地局がその戻りチャンネルを受信するように構成されている。加入者端末は戻りチャンネルを使用して放送用指定番組を、そのセルラ無線ネットワーク用に規定された周波数で注文するように構成され、またサーバーはその番組注文を受信するように構成され；そして／または加入者端末はサーバーに対して戻りチャンネルを使用して加入者端末で遊技されるゲームに関連するデータを転送するように構成され、そしてサーバーはゲームに関連するデータを加入者端末から受信するように構成されている。
【０００６】
本発明の１つの特徴として、番組を放送するためのシステムが提示されており、このシステムは：放送システムの放送経路上で番組を放送するための放送システムと；放送番組関連データを処理するためのサーバーであって、放送番組関連データの送信と、番組の放送との同期を定める同期情報を処理するように構成されている前記サーバーと；そして、サーバーから放送番組関連データと同期情報とを受信するように構成されたセルラ無線ネットワークであって、このセルラ無線ネットワーク用に規定された特定周波数で放送番組関連データを、放送番組関連データの送信が番組の放送と同期情報に基づいて同期が取られるやり方で送信されるように構成された基地局を含む前記セルラ無線ネットワークとを含み；そして基地局が戻りチャンネルを、加入者端末のセルラ無線ネットワーク・トランシーバから受信するように構成されている。サーバーは加入者端末から戻りチャンネルを使用してなされる番組注文を受信するように構成され、この注文の中で加入者端末はそのセルラ無線ネットワーク用に規定された特定周波数で放送されるべき或る番組を注文し；そして／またはこのサーバーは戻りチャンネルを用いて、加入者端末で遊技されるゲームに関連するデータを巡視するように構成されている。
【０００７】
本発明の１つの特徴として、番組を受信するためのセルラ無線ネットワークの加入者端末が提示されており、この加入者端末は：放送システムの放送経路から番組を受信するための番組受信機と；放送番組関連データをセルラ無線ネットワーク用に規定された特定周波数で受信するためのセルラ無線ネットワーク・トランシーバとを含み；そして加入者端末のセルラ無線ネットワーク・トランシーバは戻りチャンネルを、セルラ無線ネットワーク基地局を通してサーバーに対して確立するように構成されている。加入者端末は戻りチャンネルを用いて、放送される指定番組をこのセルラ無線ネットワーク用に規定された特定周波数で注文するように構成されており；そして／または加入者端末は戻りチャンネルを用いてサーバーに対して、加入者端末で遊技されるゲームに関連するデータを転送するように構成されている。
【発明の効果】
【０００８】
本発明を実施することによりいくつかの効果が得られる。番組とその番組に関連するデータの両方が１つの使用者装置で受信できる。同時に、無料および有料データ伝送機能の両方を、番組の放送および関連データの送信に聴取者にとって可能な限り費用対効果を良くして用いることができる。
【０００９】
次に本発明を好適な実施例を用い、添付図を参照して更に詳しく説明する。
【実施例】
【００１０】
番組放送用システムが図１および図２を参照して説明される。１つの実施例において、この番組とはラジオ番組を含む。別の実施例では、この番組とはテレビ番組を含む。図１はシステムの主要部品を示し、それらは放送システム１００、サーバー１０８，１１２、基地局１２２、およびセルラ無線ネットワーク加入者端末１３０である。図２はシステム部品の更に詳細な内部構造およびそれらの部品間の相互接続を示す。以下に実施例が説明されるが、その中で放送される番組はラジオ番組であるが、当業者はその説明をテレビ番組の放送に、対応する方法で適用することができよう。説明の実施例の中で、ラジオ番組とはその番組を表し、ラジオ番組に関連するデータとは放送番組関連データを表し、ラジオ放送システムとは放送システムを表し、ラジオ受信機とは番組受信機を表し、そしてラジオ放送システム用に規定された周波数とは放送システムの放送経路を表す。
【００１１】
ラジオ放送システム１００を使用することにより、ラジオ番組はラジオ波と実時間でラジオ放送システム１００用に規定された周波数１０４で、空中に放送される。このラジオは例えばＦＭ（周波数変調）ラジオ、ＡＭ（振幅変調）ラジオ、またはＤＡＢ（デジタル・オーディオ放送）ラジオが考えられる。ラジオ放送システム１００は、その中に放送されるべきラジオ番組が格納されているオーディオ・ライブラリ２００と、このオーディオ・ライブラリ２００へのデータ伝送接続を有するラジオ番組の編成および放送機械２０２の両方を含む。オーディオ・ライブラリ２００と、ラジオ番組の編成および放送機械２０２はJutel（登録商標） Oy’s RadioMan（登録商標）で実現可能であり、これは全ての必要な構成要素を含むシステム・レベル情報システム・ソリューションである。このソリューションはラジオ番組を作成、スケジュール計画、編成、放送そして記録保管を行うための全ての必要な装置を含んでいる。
【００１２】
図２にはオーディオ・ライブラリ２００が１つのデータ・ベースとして示されているが、それは当然いくつかの異なる装置、例えばいくつかの異なるデータ・ベース・サーバーおよび自動ＣＤ（コンパクト・ディスク）プレーヤで構成できる、これはまたＣＤジュークボックスとしても知られている。データ・ベース・サーバーはリレーション・データ・ベース・サーバー、例えばIBM（登録商標）DB2（登録商標）データ・ベース・ソフトウェア、またはOracle（登録商標）データ・ベース・ソフトウェア、を具備したＳＱＬ（構造化照会言語）データ・ベースで実現可能である。編成および放送機械２０２は無線送信機、アンテナ１０２、自動音楽およびプログラム・プレーヤ、番組デザインおよびミキシング用の編集者ワークステーション、種々の装置を具備した実際のオーディオ編成スタジオ等を含む、複雑なシステムである。
【００１３】
このシステムはまた、ラジオ番組に関連するデータを処理するためのサーバー１０８，１１２を含む。このサーバーは１つの物理的構成要素でも可能であるが、またいくつかの複数のサーバーでも構わない；我々の事例では、２つのサーバー、データ・サーバー１０８および移動体サーバー１１２が存在する。
【００１４】
ラジオ番組は例えば音声部分、音楽曲および広告を含む場合がある。ラジオ番組に関連するデータは、純粋なオーディオ情報に例えば可視情報のようなその他の型式の情報を追加することにより、ラジオ番組を多様化させる。従ってラジオ番組に関連するデータは、例えばテキスト、静止画または動画である。静止画は例えばラジオ番組の中で演奏している演奏者、または放送音楽曲のレコード・ジャケットなどである。動画は例えば、ラジオ番組で放送される音楽曲に活気を与えるアニメーションまたはビデオである。ラジオ番組に関連するデータはまた音も可能である。著作権契約および聴取者の関心によって、ラジオ番組に関連するデータはラジオ番組の特定部分、例えば全楽曲、楽曲の一部、スピーチ番組、スピーチ番組の一部、ニュース、スポーツ・ニュース、小話、素描曲、広報、または「トーク番組」放送、例えば番組司会者のウィットに富んだ発言、またはラジオ番組の内容を広げる別のレポート等を含めることが可能である。ラジオ番組に関連するデータはまたｗｗｗページへのリンクを含むこともできる。
【００１５】
図１から分かるようにラジオ放送システム１００はデータ・サーバー１０８とのデータ伝送接続１０６を有し、データ・サーバー１０８は移動体サーバー１１２へのデータ伝送接続１１０を有する。データ・サーバー１０８は機能を実行するための処理ユニット２０８と、ラジオ番組に関連するデータを格納するためのデータ・ベース２１０を含む。ラジオ番組もまたデータ・ベース２１０の中に格納することができる。データ伝送接続１０６、１１０は既知の方法、例えば回線交換またはパケット交換。恒久または一時的接続を用いて実現できる。ラジオ放送システム１００とサーバー１０８，１１２との間のデータ伝送接続およびセルラ無線ネットワーク２２０の内部データ伝送接続はＴＣＰ／ＩＰ（伝送制御プロトコル／インターネット・プロトコル）を用いて実現できる。
【００１６】
サーバー１０８，１１２は同期情報を処理するように構成されており、この同期情報はラジオ番組関連データの送信と番組の放送の同期とを定義する。同期情報はサーバー１０８，１１２内で例えば時間を基準に生成することもできるし、または同期情報をラジオ放送システム１００から受信することもできる。ラジオ放送システム１００はラジオ番組関連データをデータ・サーバー１０８に転送するように構成することが可能で、このデータ・サーバーはラジオ番組関連データをラジオ放送システム１００から受信するように構成されている。ラジオ番組関連データは従って、ラジオ放送システム１００内で生成され処理されて、そこからデータ・サーバー１０８に転送されることもできるし、またはラジオ番組関連データは別の装置で生成されて直接データ・サーバー１０８に転送されることもできる。ラジオ放送システム１００はブロック２０４を有し、これによってラジオ番組関連データが定義される。ブロック２０４は従って、そこからラジオ番組関連データがフェッチされる場所を定義するために使用できるし、またはラジオ番組関連データを例えばテキストを打ち込むことにより直接生成することもできる。
【００１７】
移動体サーバー１１２は、加入者端末１３０に対して放送番組関連データを転送するために確立されたデータ転送接続を管理するための接続管理ブロック２１２、加入者端末１３０に対してラジオ番組関連データを送信しているサービスに対する加入者端末１３０の接続権をチェックするための認証ブロック２１４、およびそこから加入者端末１３０が必要に応じてラジオ番組を処理するためのアプリケーションおよびラジオ番組関連データをダウンロードすることが可能なアプリケーション・データ・ベース２１６を有する。支払い請求に関して、移動体サーバー１１２はラジオ番組関連データを受信する加入者端末１３０のリストを保守するように構成されている。移動体サーバー１１２は使用時間およびアプリケーションの方法に関する情報を保守することが可能で、この情報を用いて良く使用する使用者に対して、例えば追加機能により報奨金を渡すことも可能である。使用者が許せば、ラジオ番組関連データは広告を含み、彼女／彼は追加ポイントを認められる；別の言葉で言えば、使用者はサービスを低価格で得ることが出来るかまたは、彼女／彼は追加機能を無料で得ることができる。
【００１８】
サーバー１０８，１１２の構造が論理的構成要素として示されているが、これらを実際に実現する方法は色々とあろう。システムの範囲に応じて、サーバー１０８，１１２はいくつかのコンピュータおよびいくつかのデータ・ベース・サーバーを含む。例中のブロック２０８，２１０，２１２，２１４，２１６は必要な処理を示す。当業者には明らかなように、ブロックの構造は主として論理的、機能的構成要素を示しており、当該ブロックは例に示すソリューションよりも増減する場合がある。ブロックの個数および相互作用は必要とされる処理能力および適切な集積度に依存する。小型サーバー１０８，１１２では、例えば前記複数ブロックの機能を１台のコンピュータで実行されるように組み合わせることができるが、大規模システムでは１ブロックを実施するに際しても複数台のコンピュータを必要とするであろう。使用されるコンピュータの処理能力はまた、集積度にも影響を与える。これらのブロックはプロセッサ内で実行されるソフトウェアとして主として実現されるので、異なるブロックは複数のソフトウェアの固まりであって、機能を実行するために必要なプログラム・モジュールおよびデータ・ベース・ソリューションを含む。
【００１９】
システムはまたセルラ無線ネットワーク２２０を含み、これはサーバー１０８，１１２からラジオ番組関連データおよび同期情報を受信するように構成されている。セルラ無線ネットワーク２２０は基地局１２２を含み、これはセルラ無線ネットワーク２２０に対してラジオ番組関連データを特定周波数で送信するように構成されており、これはラジオ番組関連データの送信がラジオ番組の放送と、同期情報に基づいて同期されるように行われる。サーバー１０８，１１２はまた加入者端末１３０から加入者端末の内部時刻を問い合わせることが可能であり、これによりサーバー１０８，１１２は同期を行う際の潜在的時間誤差を考慮に入れることが可能である。いくつかのブロックおよび同期情報の前方送信を用いて、加入者端末１３０とサーバー１０８，１１２との間の時間差を統計的に求めることが可能であり、従って同期の精度を改善できる。
【００２０】
図２はセルラ無線ネットワーク２２０の構造を更に詳細に示している。セルラ無線ネットワーク２２０は加入者端末１３０へのデータ転送に対応しなければならない。我々の事例において、セルラ無線ネットワークはＧＳＭ（汎欧州デジタル・セルラ・システム）であり、これは加入者端末１３０へのパケット交換データ伝送を実施するためにＧＰＲＳ（汎用パケット無線システム）を使用している。ＷＡＰ（ワイヤレス・アプリケーション・プロトコル）もまた、データ伝送で使用できる。しかしながら、ここにあげる実施例は例で使用されたこのセルラ無線ネットワーク２２０に限定されるのではなく、当業者はまた例えばＵＭＴＳ（ユニバーサル移動電話システム）の様な、加入者端末へのデータ伝送に対応している他のセルラ無線ネットワークでの知識を適用することが可能である。
【００２１】
セルラ無線ネットワーク２２０は先に説明した、アンテナ１２４を具備した基地局１２２を含む。基地局１２２は加入者端末１３０への双方向無線接続１２６，１２８を確立するための少なくとも１つのトランシーバを含む。個別の基地局制御装置２２８は一般的に基地局１２２の無線資源管理を行う。ＧＰＲＳにおいて、パケット交換データ伝送で必要なプロトコルを処理するためのパケット制御ユニット２２６が基地局制御装置２２８に配置されている。
【００２２】
サービングＧＰＲＳ対応ノード（ＳＧＳＮ：Serving GPRS support node）２２４は、パケット交換伝送に対応し、加入者端末１３０に関する加入者並びに位置情報を含む加入者端末１３０との間でパケットの伝送および受信を行う。ゲートウェイＧＰＲＳ対応ノード（ＧＧＳＮ：Gateway GPRS support node）２２２はセルラ無線ネットワーク２２０と外部ネットワーク２１８との間のトラヒックの回送を管理する。我々の事例において、セルラ無線ネットワーク２２０と移動体サーバー１１２とを接続するインターネットがこの外部ネットワーク２１８を表す。
【００２３】
このシステム内で使用されるセルラ無線ネットワークの加入者端末１３０は、無線波を受信するための２つの異なる受信機を含む：アンテナ１３２を具備したラジオ受信機１３４はラジオ放送システム１００用に規定された特定周波数１０４でラジオ番組を受信するためのものであり、アンテナ１３６を具備したセルラ無線ネットワーク・トランシーバ１３８はセルラ無線ネットワーク２２０用に規定された特定周波数１２６でラジオ番組関連データを受信するためのものである。ラジオを含むその様な加入者端末１３０の１つの例は、Nokia（登録商標）７２１０である。ラジオ番組の受信は無料であるが、セルラ無線ネットワーク・トランシーバ１３８を使用するためには、加入者端末１３０がセルラ無線ネットワークを管理している運用会社から得られた加入者識別モジュール（ＳＩＭ）を有し、これは使用者に関する情報、特に暗号アルゴリズムの様な情報セキュリティーに関する情報を含む必要がある。セルラ無線ネットワーク・トランシーバ１３８は例えば、例えばＧＳＭ／ＧＰＲＳまたはＵＭＴＳで動作する移動電話機の従来技術トランシーバである。ラジオ受信機１３４は通常の放送受信機、例えばＦＭ，ＡＭまたはＤＡＢ受信機を実現する。今日、多くの種類の加入者端末１３０が存在しており、例えば自動車搭載端末および携帯端末、個人用コンピュータで良く知られている機能をそれらの中に実現することが可能である。
【００２４】
加入者端末１３０はまた使用者インタフェース１４２を実現する部品を含む：音響を処理するためのマイクロフォンおよびスピーカ、情報表示用表示器、および入力装置、これは典型的にキーパッドであり装置の制御と情報を入力するためのものである。
【００２５】
加入者端末１３０内の電源は通常充電式電池（図１には図示せず）である。加入者端末１３０はまた処理ユニット１４０を含み、これは装置の異なる部品の動作の制御と監視を行う。処理ユニット１４０はアプリケーション・プログラムを含み、これは例えばセルラ無線ネットワーク２２０の無線信号を処理し、ラジオ放送システム１００の無線信号を処理するためのものである。処理ユニット１４０はソフトウェアを具備したプロセッサとして実現できるが、種々のハードウェアで実現することも可能であり、例えば個々の論理構成要素または１つまたは複数の特定用途向け集積回路（ＡＳＩＣ）で構築された回路である。必要な処理能力によっては、複数のプロセッサが存在する。種々のハイブリッドも可能であり、例えば１つの解決方法では基本処理はプロセッサとそのソフトウェアで実施されるが、高い計算能力を必要とするいくつかのタスクはこのタスク用に設計された特定用途向け集積回路で実施される。
【００２６】
処理ユニット１４０の構成は構造的構成要素を形成し、これはプログラム言語、例えばＣ，Ｃ＋＋、機械語またはコード化プログラム・モジュールとしてアセンブラーで実現できる。コンパイルされたプログラム・モジュールはソフトウェアの要素を形成し、これはプロセッサに配置されたメモリの中に実行版として格納され、そのプロセッサにより実行される。コンパイルされたプログラム言語の代わりに、それらが必要な処理速度と能力に見合うとの条件でインタプリタ式プログラム言語を使用できることは当然である。アプリケーションはJava（登録商標）プログラム言語で記述することが可能であり、それらはミッドレット（midlets）（Java（登録商標）アプレット参照）と呼ぶことができる。
【００２７】
処理ユニット１４０をＡＳＩＣとして実現する場合、必要な機能はＡＳＩＣブロックである。
【００２８】
システム内で使用される典型的な移動局１３０は下記の技術を含む：ＦＭラジオ、ＧＰＲＳ，SimbianTM使用者インタフェース、Java（登録商標）プログラム言語で作成されたソフトウェア部品を実行するために適した環境、ビデオ画像を表示するためのＭＰＥＧ（Moving Picture Expert Group）プレーヤ、ＨＴＭＬ（Hypertext Markup Language）文書をブラウジングするためのネットワーク・ブラウザ、音響を再生するためのＡＭＲ（Advanced Multirate）プレーヤ、および前記ソフトウェア部品用のアプリケーションを開発するためのＡＰＩ（Application Programming Interface）である。
【００２９】
加入者端末１３０は特定使用者アプリケーションを持つことが可能で、これにより使用者はラジオ番組とラジオ番組関連データの受信を容易に管理することができる。使用者アプリケーションは工場内で事前に加入者端末１３０にインストールできる。使用者アプリケーションがソフトウェアの場合、加入者端末１３０の中に後でダウンロードすることが可能であり、例えば加入者端末１３０の提供者または運用管理者により行える。使用者はまた使用者アプリケーションを彼または彼女の加入者端末１３０の中に、例えばセルラ無線ネットワーク２２０を使用して、移動体サーバー１１２のアプリケーション・データ・ベース２１６からダウンロードすることも可能である。使用者はまた、使用者アプリケーションを彼または彼女の個人向けコンピュータの中にインターネット２１８を通してダウンロードすることが可能であり、従って使用者アプリケーションをローカルにインフラネット技術を用いて、例えばコンピュータから加入者端末１３０にダウンロードすることが可能である。使用者アプリケーションの部品もまた説明した方法で加入者端末１３０の中にダウンロードできる。その様な部品は、例えば使用者アプリケーションに汎用性を提供する機能である。使用者は使用者アプリケーションを彼または彼女自身の使用者プロフィールに合わせて個人向けとすることが可能であり、例えばどの様な型式のラジオ番組関連データを彼女／彼が受信を希望するかを制御することにより行われる。既存の使用者プロフィールの加入者端末１３０への移動体サーバー１１２からのダウンロードであっても可能である。使用者プロフィールはデータ・サーバー１０８のデータ・ベース２１０または移動体サーバー１１２のデータ・ベース２１６の中に、他の使用者情報と共に格納することができる。ユニークな識別子を各々の使用者プロフィールに定義することが可能で、それにより各加入者端末１３０内の使用者アプリケーションが識別可能である。このユニークな識別子は使用者アプリケーションが加入者端末１３０の中にダウンロードされた時に与えられる。
【００３０】
システムは複数のラジオ曲をサポートすることが可能であり、これはデータ・サーバー１０８がデータ伝送接続１０６を通して複数の放送システム１００に接続され、これは開始時に使用者アプリケーションが使用者に対して、下記に説明される方法の１つのラジオ曲を選択する選択肢を与えることで行われる。移動体サーバー１１２の代わりにまたはそれに加えて、以上説明した機能はまたデータ・サーバー１０８の中に実現することも可能である。
【００３１】
加入者端末１３０は、基地局１２２により実視されたそのセルの識別子を見つけ出し、それを移動体サーバー１１２に伝送する。移動体サーバー１１２は種々のセルおよびその位置に関する情報を有し、これらはセルラ無線ネットワーク２２０運用管理者から受信されるかまたはラジオ曲の聴取プロフィールから学習されたもの、または使用者から提供された情報である。ラジオ局の範囲に関する位置に対応するリストは、使用者アプリケーションに加入者端末１３０の場所に基づいて配信される。
【００３２】
使用者識別情報に基づき、移動体サーバー１１２は加入者端末１３０の位置情報をセルラ無線ネットワーク２２０から、例えばＬＳＣ（位置サービス）サーバーから問い合わせることができる。移動体サーバー１１２は続いてそのデータ・ベース２１６から、どのラジオ曲をその位置情報で規定された加入者端末１３０の場所から聴取可能であるかをチェックする。ラジオ曲のリストはまた、別の位置サーバーの中に分離できる。
【００３３】
加入者端末１３０内のラジオ受信機１３２は周波数スペクトルを走査して、その走査結果または聴取可能ラジオ曲の周波数を移動体サーバー１１２に伝送し、これは続いてそれらに基づいて加入者端末１３０の位置を定める。移動体サーバー１１２は位置特定情報を異なるラジオ曲毎にそのデータ・ベース２１６内に有し、これはこの情報を加入者端末から得られた結果と、別の適合アルゴリズムを用いて比較する。
【００３４】
加入者端末１３０の使用者インタフェース１４２を通して、使用者は彼または彼女の居る場所の名称を入力することが可能で、これは続いて移動体サーバー１１２に伝送される。移動体サーバー１１２はそのデータ・ベース２１６からその場所のラジオ局リストをフェッチし、それを加入者端末１３０に送信する。
【００３５】
次に図３を参照すると、番組の放送方法が記述されている。この方法は図１および図２の中で説明されている型式のシステムで実現可能であるが、他の型式のサーバーおよびそれらの環境もまたその方法を実現するのに適していることは明らかである。１つの実施例において、番組は１つのラジオ番組を含む。１つの実施例において、番組は１つのテレビ番組を含む。以下に、その中で放送番組がラジオ番組である実施例を説明するが、当業者はこの説明を対応する方法でテレビ番組の放送に適用することが可能である。説明されている実施例において、同等の概念は先にシステムに関して説明したものと同じである、すなわち例えばラジオ番組とは番組を表す。
【００３６】
この方法の実施は３００から開始される。図３は２本の垂直な点線で３つの部分に分割されているが、それはラジオ番組を放送および受信するためであり、並行動作は３つの異なる３カ所で実施される：放送システム１００、サーバー１０８，１１２とセルラ無線ネットワーク２２０、並びに加入者端末１３０である。
【００３７】
ブロック３０８において、ラジオ番組はそのラジオ放送システム１００用に規定された特定周波数でラジオ放送システム１００から放送される。
【００３８】
ブロック３０２に依れば、ラジオ番組関連データはラジオ放送システム１００からサーバー１０８，１１２に伝送できる。ブロック３０４において、ラジオ番組関連データはサーバー１０８，１１２からセルラ無線ネットワーク２２０へ伝送される。続いてブロック３０６において、ラジオ番組関連データはセルラ無線ネットワーク２２０の基地局１２２からそのセルラ無線ネットワーク用に規定された特定周波数で、そのラジオ番組関連データがラジオ番組の放送と同期する形で放送される。ラジオ番組関連データは例えば、テキスト、音響、静止画、動画またはそれらの種々の組み合わせが可能である。このラジオ番組関連データはそれぞれ異なる規格に基づいて処理することができる、例えば：テキストに対してはＸＭＬ（Extensible Markup Language）、音響に対してはＡＭＲ（Advanced Multirate）、静止画に対してはＪＰＥＧ（Joint Photographic Experts Group）、そして動画に対してはＭＰＥＧ（Moving Picture Expert Group）である。
【００３９】
同期とはラジオ番組とラジオ番組関連データとが同時に放送されることを意味する；しかしながら、両者の放送が全く同じ瞬間に行われる必要はない。システムの構造および所望の精度が同期精度に影響を与える。当然最終使用者の意見もまた重要である：この方法で実現されたサービスの使い勝手は試験者によって試験され、使い勝手試験の１つの目的は適切な同期精度を決めることである。
【００４０】
ブロック３１６によれば、データ・リンクが加入者端末１３０からセルラ無線ネットワーク２２０を通してサーバー１０８，１１２へ確立される。前記データ・リンクを用いて、加入者端末１３０の使用者は、ブロック３１８でラジオ番組関連データの加入者としてサーバー１０８，１１２の中に登録できる。
【００４１】
ブロック３１０において、セルラ無線ネットワークの加入者端末１３０はラジオ番組とラジオ番組関連データとを受信するが、それは加入者端末のラジオ受信機がラジオ番組をそのラジオ放送システム用に規定された特定周波数で受信し、加入者端末のセルラ無線ネットワーク・トランシーバがラジオ番組関連データをそのセルラ無線ネットワーク用に規定された特定周波数で受信する形で受信する。
【００４２】
この方法は放送すべき何かが存在する限り実行され、極端な場合２４時間ぶっ通しで行われる。この方法の使用を周期的に行うことも可能であり、例えば夜はラジオ局が間断なく音楽を放送するだけで一切ラジオ番組関連データは放送せず、他の時間はラジオ番組と関連データの両方を放送するという様式である。この方法の実行はブロック３１４で終了される。個々の加入者端末１３０に関して、この方法の実行は加入者端末１３０の電源が切られた時、または加入者端末が移動体サーバー１１２に対して、これ以上ラジオ番組関連データの受信を所望しないことを通知した時に終了される。
【００４３】
１つの実施例において、ラジオ番組関連データはラジオ番組の放送時間を定める情報を含む。加入者端末１３０の使用者インタフェース１４２は、従って放送時間を定める情報に基づいてラジオ番組の提供を開始するように構成できる。例えば、ラジオ番組関連データが或るラジオ番組が１２時に開始するという情報を含み、使用者が加入者端末１３０の処理ユニット１４０の中で、使用者インタフェース１４２のキーボードを用いて、彼がそのラジオ受信機１３４で前記ラジオ番組の受信を開始し、それを使用者インタフェース１４２のスピーカを通して聴きたいと設定する場合、これはセルラ無線ネットワーク・トランシーバ１３８がこの放送時間を定める情報を受信した後自動的に行われ、処理ユニット１４０と共に処理する。従って、任意のラジオ番組関連データを１２時に使用者インタフェース１４２の表示器上に自動的に提供することも可能である。
【００４４】
１つの実施例において、加入者端末１３０はメモリ１４４を含み、この加入者端末１３０はラジオ番組をメモリ１４４の中に、放送時間を定める情報に基づいて格納するように構成されている。この構造は加入者端末１３０の処理ユニット１４０に導かれる。メモリ１４４は、不揮発性メモリを実装する既知の方法で実現可能であり、例えばメモリ回路または小型ハードディスクで実現される。この方法によって、使用者は彼／彼女が或るラジオ番組、例えばニュース放送に関心があることを設定することが可能であり、そこから使用者はそれらを後ほど加入者端末１３０内の使用者インタフェース１４２のスピーカを通して聴くことができる。この方法の利点は使用者がそのニュースを実時間で聴く必要が無く、それらを彼／彼女の時間があるときに聴くことができる。当然、ラジオ番組関連データはまたメモリ１４４の中に格納することが可能であり、そこから使用者は彼または彼女の知覚を通して自覚することになる、これは例えばラジオ番組関連データを使用者インタフェース１４２の表示器上で見ながら、使用者インタフェース１４２のスピーカを通してラジオ番組を聴くことで行われる。ラジオ番組関連データは録音の開始および終了時点に関する情報を含むことが可能で、例えば可聴周波数の包絡線そして／または一時停止プロフィール、これにより録音が時間的に正確に行える。時間合わせは実時間または後処理として行える。後処理を用いる場合、録音は余分に長く行われ、これにより開始および終了時点に関する情報が録音の開始および終了を整理するために自動的に使用される。
【００４５】
１つの実施例において、ブロック３１２によれば、戻りチャンネル１２８が加入者端末１３０から基地局１２２を通してサーバー１０８，１１２に確立される。加入者端末１３０のセルラ無線ネットワーク・トランシーバ１３８は、戻りチャンネル１２８を基地局１２２を通してサーバー１０８，１１２に確立するように構成されており、基地局１２２は戻りチャンネル１２８を受け入れるように構成されている。戻りチャンネル内の情報はアプリケーションに依存して、移動体サーバー１１２、データ・サーバー１０８、またはラジオ放送システム１００の中で処理される。
【００４６】
１つの実施例において、加入者端末１３０は戻りチャンネル１２８を用いて、或るラジオ番組を実時間または非実時間で放送するように、そのセルラ無線ネットワーク２２０用に規定された特定周波数で注文するように構成されている。この注文は移動体サーバー１１２の中で処理可能であり、移動体サーバー１１２は所望のラジオ番組をデータ・サーバー１０８から注文し、そのデータ・ベース２１０はそれをラジオ放送システム１００から獲得して格納する。場合によっては、ラジオ番組をラジオ放送システム１００から移動体サーバー１１２へ直接取り込むことも可能である。この方法はラジオ番組の「オンデマンド」サービスの実施を可能とする、すなわち使用者は彼／彼女の所望するラジオ番組を注文することができるということであ、例えば天気予報または株価ニュース、がセルラ無線ネットワーク２２０を通して彼または彼女の加入者端末１３０に放送される。当然、任意のラジオ番組関連データもまた加入者端末１３０に、セルラ無線ネットワーク２２０用に規定された同一特定周波数１２６で伝送される。従って加入者端末１３０の使用者は、加入者端末１３０の使用者インタフェース１４２上に、注文したラジオ番組を予定されたラジオ番組関連データと共に直ちに提示させることが可能であるが、彼／彼女はまたそれを加入者端末１３０のメモリ１４４の中にデータと共に格納して後で表示することも可能である。
【００４７】
１つの実施例において、加入者端末１３０は戻りチャンネル１２８を用いて、ラジオ番組に関するフィードバック情報をラジオ放送システム１００に伝送するように構成されており、またラジオ放送システム１００はそのラジオ番組に関するフィードバック情報を加入者端末１３０から受け取るように構成されている。移動体サーバー１１２はラジオ番組関連データを受信している加入者端末１３０のリストを保持しているので、このリストはフィードバック情報と共にラジオ放送システム１００へ伝送することが可能で、これは特別セッション・ブロック２０６を有し、これによって現在放送されているラジオ番組、すなわち「放送中」ラジオ番組のプロデューサは世論調査、コンテストおよびこの種の他のイベントを実施することが可能であり、その中でそのラジオ番組の聴取者のフィードバックが利用できる。従って、ラジオ番組のプロデューサは例えば約１００，０００人の聴取者がラジオ番組関連データを受信していて、彼／彼女が最も話題になっている事柄に関する迅速なギャラップ世論調査を１つの質問形式で行えることが分かり、例えばまたセッション・ブロック２０６の使用者インタフェースを通して実時間で見て、ほぼ実時間でギャラップ世論調査の結果がどの様なものか、またその最終結果が何であるかを把握する。この方法により、電話回線を占有してしまう不格好な電話ギャラップ世論調査を置き換えることが可能である。例えば１つの質問に対してテキスト形式で回答する際のセルラ無線ネットワーク２２０で必要なデータ・トラヒック量は、通常の呼で必要なデータ伝送能力のほんの僅かである。
【００４８】
１つの実施例において、加入者端末１３０は戻りチャンネル１２８を用いて購買を行えるように構成されており、この購買はラジオ番組そして／またはラジオ番組関連データの中で行われる広告に関連したものである。従ってサーバー１０８，１１２は加入者端末１３０から購買情報を受け取るように構成されている。購買に関しては通常、秘密情報の処理が関連するので、この機能は図１に示されるようにデータ・サーバー１０８から、電子商取引用に設計された特定の購買サーバー１１４に転送され、続いて安全そして／または暗号データ伝送接続を介して移動体サーバー１１２へ接続される。
【００４９】
１つの実施例において、加入者端末１３０は戻りチャンネル１２８を用いてサーバー１０８，１１２へ、加入者端末１３０で遊技されるゲームに関するデータを転送するように構成されている。次にサーバー１０８，１１２はそのゲームに関するデータを加入者端末１３０から受け取るように構成されている。ゲーム・データの処理は高い計算能力を必要とするので、特に大勢の遊技参加者が同時に同じゲームを行う場合、その機能は図１に示されるようにデータ・サーバー１０８から特別なゲーム・サーバー１１８に転送され、これはデータ伝送接続１２０を通して移動体サーバー１１２へ接続されている。
【００５０】
加入者端末１３０はゲーム、対戦相手またはその他の問い合わせの様な対話形式動作、使用者アプリケーションで必要なデータまたはゲームの一部を事前に受け取るように構成されている。しかしながらこの事前に受け取られたデータは、サーバー１０８，１１２で許可される前に加入者端末１３０で使用されることはなく、例えば許可はラジオ番組またはゲームが或る段階に来たときになされる。この様にして、セルラ無線ネットワーク２２０の瞬時的な過負荷を避けることが、ラジオ番組関連データを全ての加入者端末１３０に同時に伝送しないようにしたり、或る段階の前の期間に交互交替的にすることで可能である。許可を与えることは、加入者端末１３０内のクロックに関連して時間調整することができる。
【００５１】
ラジオ番組および関連データを放送するために、ラジオ放送システム１００、異なるサーバー１０８，１１２，１１４，１１８、およびセルラ無線ネットワーク２２０を使用することは、上記説明した方法で技術的に実施される。ビジネス・モデルにおいて、サービスからの利益は移動体運用会社にデータ伝送請求書を通して、またサービス・コンテンツおよびサービス・コンセプトのプロバイダに分配される。サービス・コンセプトのプロバイダは全体または部分的に放送会社が考えられる。最低限、放送会社の分け前は、ラジオ番組関連データ提供費およびオーディオ・ライブラリ２００への接続費が考えられる。放送会社の分け前にはまた、サービスを提供し運用会社のサービスに対する課金を行うためのサーバー１０８，１１２，１１４，１１８の管理を含むことも可能であるが、運用会社または外部サービス・プロバイダもまたこの役割を担うことができる。しかしながらサービスは明らかに放送会社並びにその聴取者に特徴付けられる。従って、放送会社のサービスを宣伝し広告することの分け前は重要である。技術的に、使用者に伝送されるラジオ番組関連データへのサービスを広告する広告資料を添付することも技術的に可能である。サービス使用に対して、そのラジオ番組関連データを受け取っている加入者端末１３０の使用者の電話料金に課金することが可能である。
【００５２】
１つの実施例において、サーバー１０８，１１２はラジオ番組およびラジオ番組関連データをマルチプレクスして、デジタル・ラジオの特定データ・チャンネルで放送したり、またはＦＭ副搬送波へ付随伝送するように構成されている。
【産業上の利用可能性】
【００５３】
此処まで本発明を添付図に基づく例を参照して説明してきたが、本発明がそれに限定されるものではなく、添付の特許請求項で開示された発明的考え方の範囲内で多くの修正変更が可能なことは明らかであろう。いくつかの例で説明されているソリューションはＡＳＰ（アプリケーション・サービス・プロバイダ）アプリケーションが可能であり、この場合サーバーの管理者はいくつかの異なる放送会社にサービスを提供し、サーバーの保全権利を他の国にライセンスすることも可能である。
【図面の簡単な説明】
【００５４】
【図１】図１は番組放送用システムを開示する簡略化されたブロック図。
【図２】図２は番組放送用システムとその部品の内部構造並びに相互接続を更に詳細に図示する。
【図３】図３は番組放送方法を図示する流れ図。
【図１】
2006508594.tif 000003
【図２】
2006508594.tif 000004
【図３】
2006508594.tif 000005
【国際調査報告】
2006508594.tif 000006
2006508594.tif 000007